(57)【要約】【課題】照明光の偏光方向を揃えることによる照明効率の低下を低減することが可能な照明装置等を提供すること。【解決手段】光を供給する光源部１１Ｒと、光源部１１Ｒからの光を、第１の振動方向の偏光光と、第１の振動方向に略直交する第２の振動方向の偏光光とに分離する偏光分離部である反射型偏光板１５と、反射型偏光板１５で分離された第１の振動方向の偏光光を第２の振動方向の偏光光に変換する偏光変換部であるλ／２位相板１７と、を有し、反射型偏光板１５で分離された第２の振動方向の偏光光を照明対象である空間光変調装置２１Ｒの第１面Ｓ１へ入射させ、λ／２位相板１７からの第２の振動方向の偏光光を空間光変調装置２１Ｒの第１面Ｓ１とは反対側の第２面Ｓ２へ入射させる。【選択図】図２
2007183457.tif 000002
【特許請求の範囲】
【請求項１】
光を供給する光源部と、
前記光源部からの光を、第１の振動方向の偏光光と、前記第１の振動方向に略直交する
第２の振動方向の偏光光とに分離する偏光分離部と、
前記偏光分離部で分離された前記第１の振動方向の偏光光を前記第２の振動方向の偏光
光に変換する偏光変換部と、を有し、
前記偏光分離部で分離された前記第２の振動方向の偏光光を照明対象の第１面へ入射さ
せ、前記偏光変換部からの前記第２の振動方向の偏光光を前記照明対象の前記第１面とは
反対側の第２面へ入射させることを特徴とする照明装置。
【請求項２】
前記偏光分離部は、前記第１の振動方向の偏光光を透過し、前記第２の振動方向の偏光
光を反射する反射型偏光板を備えることを特徴とする請求項１に記載の照明装置。
【請求項３】
前記偏光分離部で分離された前記第２の振動方向の偏光光、又は前記偏光変換部からの
前記第２の振動方向の偏光光を前記照明対象へ導く反射部を有することを特徴とする請求
項１又は２に記載の照明装置。
【請求項４】
前記偏光分離部は、前記第１の振動方向の偏光光を透過し、前記第２の振動方向の偏光
光を反射する第１反射型偏光板を備え、
前記第１反射型偏光板を透過した前記第１の振動方向の偏光光が入射する位置に設けら
れ、前記第１の振動方向の偏光光を透過し、前記第２の振動方向の偏光光を反射する第２
反射型偏光板を有し、
前記偏光変換部は、前記第２反射型偏光板を透過した前記第１の振動方向の偏光光を前
記第２の振動方向の偏光光に変換し、
前記第２反射型偏光板は、前記偏光変換部からの前記第２の振動方向の偏光光を反射し
て前記照明対象へ導くことを特徴とする請求項１〜３のいずれか一項に記載の照明装置。
【請求項５】
光を供給する光源部と、
前記光源部からの光を、第１の振動方向の偏光光と、前記第１の振動方向に略直交する
第２の振動方向の偏光光とに分離する偏光分離部と、
前記偏光分離部で分離された前記第１の振動方向の偏光光を前記第２の振動方向の偏光
光に変換する偏光変換部と、を備える照明装置と、
前記照明装置からの前記第２の振動方向の偏光光を画像信号に応じて変調する空間光変
調装置と、を有し、
前記偏光分離部で分離された前記第２の振動方向の偏光光を前記空間光変調装置の第１
面へ入射させ、前記偏光変換部からの前記第２の振動方向の偏光光を前記空間光変調装置
の前記第１面とは反対側の第２面へ入射させることを特徴とするプロジェクタ。
【請求項６】
前記空間光変調装置は、前記画像信号に応じて前記第２の振動方向の偏光光を前記第１
の振動方向の偏光光に変換し、
前記空間光変調装置の前記第１面及び前記第２面から出射される前記第１の振動方向の
偏光光を特定の方向へ導き、前記空間光変調装置の前記第１面及び前記第２面から出射さ
れる前記第２の振動方向の偏光光を前記特定の方向とは異なる他の方向へ導くことを特徴
とする請求項５に記載のプロジェクタ。
【請求項７】
前記偏光分離部は、前記第１の振動方向の偏光光を透過し、前記第２の振動方向の偏光
光を反射する第１反射型偏光板を備え、
前記照明装置は、前記第１の振動方向の偏光光を透過し、前記第２の振動方向の偏光光
を反射する第２反射型偏光板及び第３反射型偏光板を備え、
前記第１反射型偏光板は、前記光源部からの前記第１の振動方向の偏光光を透過して前
記偏光変換部へ導き、前記光源部からの前記第２の振動方向の偏光光を反射して前記第２
反射型偏光板へ導き、
前記第２反射型偏光板は、前記第１反射型偏光板を反射した前記第２の振動方向の偏光
光を反射して前記空間光変調装置の前記第１面へ導き、
前記第３反射型偏光板は、前記偏光変換部からの前記第２の振動方向の偏光光を反射し
て前記空間光変調装置の前記第２面へ導き、
さらに、前記第２反射型偏光板は、前記空間光変調装置の前記第１面から出射される前
記第１の振動方向の偏光光を透過して前記特定の方向へ導き、前記空間光変調装置の前記
第１面から出射される前記第２の振動方向の偏光光を反射して前記他の方向へ導き、
前記第３反射型偏光板は、前記空間光変調装置の前記第２面から出射される前記第１の
振動方向の偏光光を透過して前記特定の方向へ導き、前記空間光変調装置の前記第２面か
ら出射される前記第２の振動方向の偏光光を反射して前記他の方向へ導くことを特徴とす
る請求項６に記載のプロジェクタ。
【請求項８】
前記偏光分離部は、前記第１の振動方向の偏光光を透過し、前記第２の振動方向の偏光
光を反射する第１反射型偏光板を備え、
前記照明装置は、前記第１の振動方向の偏光光を透過し、前記第２の振動方向の偏光光
を反射する第２反射型偏光板及び第３反射型偏光板を備え、
前記第１反射型偏光板は、前記光源部からの前記第１の振動方向の偏光光を透過して前
記第２反射型偏光板へ導き、前記光源部からの前記第２の振動方向の偏光光を反射して前
記空間光変調装置の前記第１面へ導き、
前記第２反射型偏光板は、前記第１反射型偏光板を透過した前記第１の振動方向の偏光
光を透過して前記偏光変換部へ導き、前記偏光変換部からの前記第２の振動方向の偏光光
を反射して前記第３反射型偏光板へ導き、
前記第３反射型偏光板は、前記第２反射型偏光板を反射した前記第２の振動方向の偏光
光を反射して前記空間光変調装置の前記第２面へ導き、
さらに、前記第１反射型偏光板は、前記空間光変調装置の前記第１面から出射される前
記第１の振動方向の偏光光を透過して前記特定の方向へ導き、前記空間光変調装置の前記
第１面から出射される前記第２の振動方向の偏光光を反射して前記他の方向へ導き、
前記第３反射型偏光板は、前記空間光変調装置の前記第２面から出射される前記第１の
振動方向の偏光光を透過して前記特定の方向へ導き、前記空間光変調装置の前記第２面か
ら出射される前記第２の振動方向の偏光光を反射して前記他の方向に導くことを特徴とす
る請求項６に記載のプロジェクタ。
【請求項９】
前記空間光変調装置の前記第１面及び前記第２面から出射される前記第２の振動方向の
偏光光を前記光源部の方向へ導くことを特徴とする請求項６〜８のいずれか一項に記載の
プロジェクタ。
【発明の詳細な説明】
【技術分野】
【０００１】
本発明は、照明装置及びプロジェクタ、特に、空間光変調装置と組み合わせて用いられ
る照明装置の技術に関する。
【背景技術】
【０００２】
プロジェクタの空間光変調装置として用いられる液晶表示装置は、入射光の偏光状態を
変換することで変調を行う。液晶表示装置を用いる場合、光源部からの光を特定の振動方
向の偏光光に変換して供給することで、光源部からの光を効率良く利用できる。光を特定
の振動方向の偏光光に変換して供給する技術は、例えば、特許文献１に提案されている。
【０００３】
【特許文献１】特開２００２−２４４２１１号公報
【発明の開示】
【発明が解決しようとする課題】
【０００４】
特許文献１に提案されている技術によると、光源部からの光を効率良く偏光変換するた
めには、偏光ビームスプリッタの入射面に光源部からの光を集光させる必要がある。光源
部の発光領域が小さいほど、偏光ビームスプリッタの入射面へ広い角度範囲で入射する光
を取り込むことを可能とし、光源部からの光を効率良く偏光ビームスプリッタへ入射させ
ることが可能となる。また、プロジェクタにより明るい画像を表示するためには、大きい
発光領域を備える光源部を用いることが考えられる。従来の技術の場合、光源部の発光領
域が大きくなるほど、光源部からの光を偏光ビームスプリッタへ効率良く入射させること
が困難となる。このため、従来の技術によると、照明光の偏光方向を揃えることによる照
明効率の低下を低減することが困難である場合があるという問題がある。本発明は、上述
の問題に鑑みてなされたものであり、照明光の偏光方向を揃えることによる照明効率の低
下を低減することが可能な照明装置、及びその照明装置を用いることで明るい画像を表示
可能なプロジェクタを提供することを目的とする。
【課題を解決するための手段】
【０００５】
上述した課題を解決し、目的を達成するために、本発明によれば、光を供給する光源部
と、光源部からの光を、第１の振動方向の偏光光と、前記第１の振動方向に略直交する第
２の振動方向の偏光光とに分離する偏光分離部と、偏光分離部で分離された第１の振動方
向の偏光光を第２の振動方向の偏光光に変換する偏光変換部と、を有し、偏光分離部で分
離された第２の振動方向の偏光光を照明対象の第１面へ入射させ、偏光変換部からの第２
の振動方向の偏光光を照明対象の第１面とは反対側の第２面へ入射させることを特徴とす
る照明装置を提供することができる。
【０００６】
偏光分離部からの偏光光を照明対象の第１面に、偏光変換部からの偏光光を照明対象の
第２面にそれぞれ入射させることにより、照明対象、例えば空間光変調装置に第２の振動
方向の偏光光を供給することができる。本発明によると、偏光分離部で分離された第２の
振動方向の偏光光と、偏光変換部で第１の振動方向の偏光光から変換された第２の振動方
向の偏光光とを照明対象へ供給することができる。この場合、光源部からの一の振動方向
の偏光光のみを供給する場合と比較して、照明効率を略２倍とすることができる。また、
偏光分離部の入射側にて光を集光させる必要が無いため、大きな発光領域を備える光源部
を用いる場合であっても、光源部からの光を効率良く偏光変換することが可能となる。こ
れにより、照明光の偏光方向を揃えることによる照明効率の低下を低減することが可能な
照明装置を得られる。
【０００７】
また、本発明の好ましい態様としては、偏光分離部は、第１の振動方向の偏光光を透過
し、第２の振動方向の偏光光を反射する反射型偏光板を備えることが望ましい。反射型偏
光板を用いることにより、第１の振動方向の偏光光と第２の振動方向の偏光光とを分離す
ることができる。
【０００８】
また、本発明の好ましい態様としては、偏光分離部で分離された第２の振動方向の偏光
光、又は偏光変換部からの第２の振動方向の偏光光を照明対象へ導く反射部を有すること
が望ましい。反射部を用いることにより、偏光分離部で分離された第２の振動方向の偏光
光、又は偏光変換部からの第２の振動方向の偏光光を照明対象へ導くことが可能な構成と
することができる。
【０００９】
また、本発明の好ましい態様としては、偏光分離部は、第１の振動方向の偏光光を透過
し、第２の振動方向の偏光光を反射する第１反射型偏光板を備え、第１反射型偏光板を透
過した第１の振動方向の偏光光が入射する位置に設けられ、第１の振動方向の偏光光を透
過し、第２の振動方向の偏光光を反射する第２反射型偏光板を有し、偏光変換部は、第２
反射型偏光板を透過した第１の振動方向の偏光光を第２の振動方向の偏光光に変換し、第
２反射型偏光板は、偏光変換部からの第２の振動方向の偏光光を反射して照明対象へ導く
ことが望ましい。第２反射型偏光板を用いることにより、偏光分離部で分離された第２の
振動方向の偏光光と、偏光変換部からの第２の振動方向の偏光光を照明対象へ導くことが
可能な構成とすることができる。
【００１０】
さらに、本発明によれば、光を供給する光源部と、光源部からの光を、第１の振動方向
の偏光光と、第１の振動方向に略直交する第２の振動方向の偏光光とに分離する偏光分離
部と、偏光分離部で分離された第１の振動方向の偏光光を第２の振動方向の偏光光に変換
する偏光変換部と、を備える照明装置と、照明装置からの第２の振動方向の偏光光を画像
信号に応じて変調する空間光変調装置と、を有し、偏光分離部で分離された第２の振動方
向の偏光光を空間光変調装置の第１面へ入射させ、偏光変換部からの第２の振動方向の偏
光光を空間光変調装置の第１面とは反対側の第２面へ入射させることを特徴とするプロジ
ェクタを提供することができる。照明光の偏光方向を揃えることによる照明効率の低下を
低減することにより、明るい画像を表示することが可能となる。これにより、明るい画像
を表示することが可能なプロジェクタを得られる。
【００１１】
また、本発明の好ましい態様としては、空間光変調装置は、画像信号に応じて第２の振
動方向の偏光光を第１の振動方向の偏光光に変換し、空間光変調装置の第１面及び第２面
から出射される第１の振動方向の偏光光を特定の方向へ導き、空間光変調装置の第１面及
び第２面から出射される第２の振動方向の偏光光を特定の方向とは異なる他の方向へ導く
ことが望ましい。空間光変調装置からの第１の振動方向の偏光光は、画像の表示に用いる
光として、特定の方向、例えば投写レンズの方向へ進行させる。空間光変調装置からの第
２の振動方向の偏光光は、画像の表示に用いる光以外の光として、投写レンズの方向とは
異なる他の方向へ進行させる。これにより、画像信号に応じた画像を表示することができ
る。
【００１２】
また、本発明の好ましい態様としては、偏光分離部は、第１の振動方向の偏光光を透過
し、第２の振動方向の偏光光を反射する第１反射型偏光板を備え、照明装置は、第１の振
動方向の偏光光を透過し、第２の振動方向の偏光光を反射する第２反射型偏光板及び第３
反射型偏光板を備え、第１反射型偏光板は、光源部からの第１の振動方向の偏光光を透過
して偏光変換部へ導き、光源部からの第２の振動方向の偏光光を反射して第２反射型偏光
板へ導き、第２反射型偏光板は、第１反射型偏光板を反射した第２の振動方向の偏光光を
反射して空間光変調装置の第１面へ導き、第３反射型偏光板は、偏光変換部からの第２の
振動方向の偏光光を反射して空間光変調装置の第２面へ導き、さらに、第２反射型偏光板
は、空間光変調装置の第１面から出射される第１の振動方向の偏光光を透過して特定の方
向へ導き、空間光変調装置の第１面から出射される第２の振動方向の偏光光を反射して他
の方向へ導き、第３反射型偏光板は、空間光変調装置の第２面から出射される第１の振動
方向の偏光光を透過して特定の方向へ導き、空間光変調装置の第２面から出射される第２
の振動方向の偏光光を反射して他の方向へ導くことが望ましい。これにより、空間光変調
装置から出射される第１の振動方向の偏光光を特定の方向へ導き、空間光変調装置から出
射される第２の振動方向の偏光光を他の方向へ導くことができる。また、空間光変調装置
からの光を第２反射型偏光板及び第３反射型偏光板から特定の方向へ導く構成とすること
で、画像の表示に用いる光の反射回数を少なくすることが可能となる。よって、空間光変
調装置からの光を第２反射型偏光板及び第３反射型偏光板により特定の方向へ導くことで
、光の反射回数を少なくできる分、高い効率で明るい画像を表示できるという利点を有す
る。
【００１３】
また、本発明の好ましい態様としては、偏光分離部は、第１の振動方向の偏光光を透過
し、第２の振動方向の偏光光を反射する第１反射型偏光板を備え、照明装置は、第１の振
動方向の偏光光を透過し、第２の振動方向の偏光光を反射する第２反射型偏光板及び第３
反射型偏光板を備え、第１反射型偏光板は、光源部からの第１の振動方向の偏光光を透過
して第２反射型偏光板へ導き、光源部からの第２の振動方向の偏光光を反射して空間光変
調装置の第１面へ導き、第２反射型偏光板は、第１反射型偏光板を透過した第１の振動方
向の偏光光を透過して偏光変換部へ導き、偏光変換部からの第２の振動方向の偏光光を反
射して第３反射型偏光板へ導き、第３反射型偏光板は、第２反射型偏光板を反射した第２
の振動方向の偏光光を反射して空間光変調装置の第２面へ導き、さらに、第１反射型偏光
板は、空間光変調装置の第１面から出射される第１の振動方向の偏光光を透過して特定の
方向へ導き、空間光変調装置の第１面から出射される第２の振動方向の偏光光を反射して
他の方向へ導き、第３反射型偏光板は、空間光変調装置の第２面から出射される第１の振
動方向の偏光光を透過して特定の方向へ導き、空間光変調装置の第２面から出射される第
２の振動方向の偏光光を反射して他の方向に導くことが望ましい。これにより、空間光変
調装置から出射される第１の振動方向の偏光光を特定の方向へ導き、空間光変調装置から
出射される第２の振動方向の偏光光を他の方向へ導くことができる。また、空間光変調装
置の一方の面からの光を偏光変換部である第１反射型偏光板へ戻すことで、照明装置の光
路を有効に利用しながら、空間光変調装置からの光を特定の方向へ導くことができる。空
間光変調装置の一方の面からの光を第１反射型偏光板から特定の方向へ導くことで、空間
光変調装置からの光を特定の方向へ導くための新たな光路を不要とする分、プロジェクタ
の構成をコンパクトにできるという利点を有する。
【００１４】
また、本発明の好ましい態様としては、空間光変調装置の第１面及び第２面から出射さ
れる第２の振動方向の偏光光を光源部の方向へ導くことが望ましい。この場合、光源部の
方向へ戻る光を再び空間光変調装置の方向へ進行させることで、光源部の方向へ戻る光を
再利用可能な構成とすることができる。光源部の方向へ戻る光を再び空間光変調装置の方
向へ進行させるには、例えば、光源部の方向へ戻る光を反射する反射部を設けることが考
えられる。光源部の方向へ戻る光を再利用することで、さらに光利用効率の向上を図れる
。
【発明を実施するための最良の形態】
【００１５】
以下に図面を参照して、本発明の実施例を詳細に説明する。
【実施例１】
【００１６】
図１は、本発明の実施例１に係るプロジェクタ１００の概略構成を示す。プロジェクタ
１００は、観察者側に設けられたスクリーン３０に光を供給し、スクリーン３０で反射す
る光を観察することで画像を鑑賞する、いわゆるフロント投写型のプロジェクタである。
プロジェクタ１００は、赤色（Ｒ）光用照明装置１０Ｒと、緑色（Ｇ）光用照明装置１０
Ｇと、青色（Ｂ）光用照明装置１０Ｂとを有する。
【００１７】
図２は、Ｒ光用ＬＥＤ１１Ｒからクロスダイクロイックプリズム２８までの各部の配置
について説明するものである。Ｒ光用照明装置１０ＲのＲ光用ＬＥＤ１１Ｒは、Ｒ光を供
給する光源部である。Ｒ光用ＬＥＤ１１Ｒは、主にチップの表面から光を放出する面発光
光源である。集光レンズ１２は、Ｒ光用ＬＥＤ１１ＲからのＲ光をロッドインテグレータ
１３の入射面近傍に集光させる。ロッドインテグレータ１３は、直方体形状の透明な硝子
部材を有する。ロッドインテグレータ１３に入射したＲ光は、硝子部材と空気との界面に
おいて全反射を繰り返しながらロッドインテグレータ１３の内部を進行する。これにより
ロッドインテグレータ１３は、Ｒ光用ＬＥＤ１１ＲからのＲ光の強度分布を均一化させる
。コリメータレンズ１４は、ロッドインテグレータ１３で略均一にされたＲ光を平行化し
て第１反射型偏光板１５へ入射させる。
【００１８】
第１反射型偏光板１５は、Ｒ光用ＬＥＤ１１ＲからのＲ光のうち第１の振動方向の偏光
光を透過し、第２の振動方向の偏光光を反射することにより、Ｒ光用ＬＥＤ１１Ｒからの
Ｒ光を第１の振動方向の偏光光と第２の振動方向の偏光光とに分離する偏光分離部である
。第１の振動方向の偏光光は、例えばｐ偏光光である。第２の振動方向の偏光光は、第１
の振動方向と略直交する振動方向の偏光光であって、例えばｓ偏光光である。第１反射型
偏光板１５としては、例えば、ワイヤグリッド型偏光板を用いることができる。
【００１９】
ワイヤグリッド型偏光板は、光学的に透明な硝子部材からなる基板の上に、金属、例え
ばアルミニウムで構成されるワイヤを格子状に設けた構成を用いることができる。ワイヤ
グリッド型偏光板は、振動方向がワイヤに略垂直である偏光光を透過し、振動方向がワイ
ヤに略平行である偏光光を反射する。ワイヤグリッド型偏光板を、特定の振動方向の偏光
光の振動方向に対してワイヤが略垂直となるように設けることにより、特定の振動方向の
偏光光のみを透過させることができる。偏光分離部には反射型偏光板を用いる場合に限ら
ず、例えば、偏光分離膜を有する偏光ビームスプリッタを用いることとしても良い。
【００２０】
反射部１６は、第１反射型偏光板１５を透過したｐ偏光光を反射し、第３反射型偏光板
１８の方向へ進行させる。λ／２位相板１７は、反射部１６及び第３反射型偏光板１８の
間の光路中に設けられている。λ／２位相板１７は、第１反射型偏光板１５で分離された
第１の振動方向の偏光光であるｐ偏光光を第２の振動方向の偏光光であるｓ偏光光に変換
する偏光変換部である。λ／２位相板１７は、入射光の偏光方向を９０度回転させる。第
３反射型偏光板１８は、第１の振動方向の偏光光であるｐ偏光光を透過し、第２の振動方
向の偏光光であるｓ偏光光を反射する。
【００２１】
第２反射型偏光板２２は、第１反射型偏光板１５を反射したｓ偏光光が入射する位置に
設けられている。第２反射型偏光板２２は、第１の振動方向の偏光光であるｐ偏光光を透
過し、第２の振動方向の偏光光であるｓ偏光光を反射する。第２反射型偏光板２２、第３
反射型偏光板１８としては、第１反射型偏光板１５と同様、ワイヤグリッド型偏光板を用
いることができる。
【００２２】
なお、λ／２位相板１７は、反射部１６と第３反射型偏光板１８との間の光路中に設け
る他、第１反射型偏光板１５と反射部１６との間の光路中に設けることとしても良い。Ｒ
光用空間光変調装置２１Ｒは、第２反射型偏光板２２の側に第１面Ｓ１、第３反射型偏光
板１８の側に第１面Ｓ１とは反対側の第２面Ｓ２を向け、第２反射型偏光板２２及び第３
反射型偏光板１８の間の光路中に設けられている。
【００２３】
図３は、Ｒ光用空間光変調装置２１Ｒの要部斜視構成を示す。Ｒ光用空間光変調装置２
１Ｒは、Ｒ光用照明装置１０Ｒの照明対象であって、Ｒ光を画像信号に応じて変調する透
過型の液晶表示装置である。Ｒ光用空間光変調装置２１Ｒは、第１基板３１及び第２基板
３２により液晶部３３を封止して構成されている。第１基板３１には、薄膜トランジスタ
３５、薄膜トランジスタ３５のゲートに電圧を印加する走査線３７、薄膜トランジスタ３
５のソースに電圧を印加する信号線３４、及び透明電極３６が形成されている。液晶部３
３を挟んで、第１基板３１の透明電極３６と対向する位置には、不図示の透明電極が形成
されている。液晶部３３には、電圧の印加、又は電圧の印加の停止により配向が揃う性質
の液晶分子を用いることができる。Ｒ光用空間光変調装置２１Ｒは、透明電極３６が設け
られている領域において光を透過させる。第１基板３１側の第１面Ｓ１から入射し、画像
信号に応じて変調された光は、第２基板３２側の第２面Ｓ２から出射する。また、第２面
Ｓ２から入射し、画像信号に応じて変調された光は、第１面Ｓ１から出射する。
【００２４】
液晶分子の長軸方向に偏光面を有する直線偏光光であるｓ偏光光がＲ光用空間光変調装
置２１Ｒの第１面Ｓ１へ入射するとする。液晶部３３内で液晶分子が９０度ねじれた状態
であるとき、第１面Ｓ１からＲ光用空間光変調装置２１Ｒへ入射したｓ偏光光は、偏光面
が９０度回転されたｐ偏光光となって第２面Ｓ２から出射する。これと同時に、液晶分子
の短軸方向に偏光面を有するｓ偏光光がＲ光用空間光変調装置２１Ｒの第２面Ｓ２へ入射
するとする。液晶部３３内で液晶分子が９０度ねじれた状態において、第２面Ｓ２からＲ
光用空間光変調装置２１Ｒへ入射したｓ偏光光は、偏光面が９０度回転されたｐ偏光光と
なって第１面Ｓ１から出射する。Ｒ光用空間光変調装置２１Ｒは、画像信号に応じて、第
１面Ｓ１から入射したｓ偏光光をｐ偏光光に変換して第２面Ｓ２から出射し、第２面Ｓ２
から入射したｓ偏光光をｐ偏光光に変換して第１面Ｓ１から出射する。Ｒ光用空間光変調
装置２１Ｒの第１面Ｓ１及び第２面Ｓ２から出射されるｐ偏光光は、画像の表示に用いら
れる光である。
【００２５】
液晶部３３内で液晶分子の配向が揃った状態である場合、第１面Ｓ１からＲ光用空間光
変調装置２１Ｒへ入射したｓ偏光光は、偏光面を回転させずｓ偏光光のまま第２面Ｓ２か
ら出射する。これと同時に、第２面Ｓ２からＲ光用空間光変調装置２１Ｒへ入射したｓ偏
光光も、偏光面を回転させずｓ偏光光のまま第１面Ｓ１から出射する。Ｒ光用空間光変調
装置２１Ｒから出射されるｓ偏光光は、画像の表示に用いられる光以外の光である。なお
、本発明で用いられる空間光変調装置は、液晶部３３にて偏光面が回転されず空間光変調
装置を透過したｓ偏光光を吸収するための構成（例えば偏光板）を省略することができる
。液晶部３３にて偏光面が回転されず空間光変調装置を透過したｓ偏光光の振舞いについ
ては、後述する。
【００２６】
図２に戻って、２つの反射部２３、２６は、Ｒ光用空間光変調装置２１Ｒの第１面Ｓ１
から出射し第２反射型偏光板２２を透過した光を反射して第４反射型偏光板２７の方向へ
進行させる。λ／２位相板２５は、２つの反射部２３、２６の間の光路中に設けられてい
る。λ／２位相板２５は、第１の振動方向の偏光光であるｐ偏光光を第２の振動方向の偏
光光であるｓ偏光光に変換する。
【００２７】
第４反射型偏光板２７は、第１の振動方向の偏光光であるｐ偏光光を透過し、第２の振
動方向の偏光光であるｓ偏光光を反射する。第４反射型偏光板２７としては、第１反射型
偏光板１５と同様、ワイヤグリッド偏光板を用いることができる。第４反射型偏光板２７
は、λ／２位相板２５及び反射部２６を経たｓ偏光光を反射し、クロスダイクロイックプ
リズム２８の方向へ進行させる。なお、λ／２位相板２５は、２つの反射部２３、２６の
間の光路中に設ける他、第２反射型偏光板２２及び反射部２３の間の光路中や、反射部２
６及び第４反射型偏光板２７の間の光路中に設けることとしても良い。
【００２８】
反射部２０は、Ｒ光用空間光変調装置２１Ｒの第２面Ｓ２から出射され第３反射型偏光
板１８を透過した光を反射し、第３反射型偏光板１８へ入射させる。λ／４位相板１９は
、第３反射型偏光板１８及び反射部２０の間の光路中に設けられている。λ／４位相板１
９は、光を２回通過させることで、第１の振動方向の偏光光であるｐ偏光光を第２の振動
方向の偏光光であるｓ偏光光に変換する。第３反射型偏光板１８及びクロスダイクロイッ
クプリズム２８の間の光路中には、λ／２位相板２４及び第４反射型偏光板２７が設けら
れている。
【００２９】
λ／２位相板２４は、第２の振動方向の偏光光であるｓ偏光光を第１の振動方向の偏光
光であるｐ偏光光に変換する。第４反射型偏光板２７は、λ／２位相板２４からのｐ偏光
光を透過し、クロスダイクロイックプリズム２８の方向へ進行させる。このように、第４
反射型偏光板２７は、反射部２６から第４反射型偏光板２７の方向へ進行したｓ偏光光、
及びλ／２位相板２４から第４反射型偏光板２７の方向へ進行したｐ偏光光を合成して、
クロスダイクロイックプリズム２８へ入射させる。
【００３０】
図１に戻って、Ｇ光用照明装置１０ＧのＧ光用ＬＥＤ１１Ｇは、Ｇ光を供給する光源部
である。Ｇ光用空間光変調装置２１Ｇは、Ｇ光用照明装置１０Ｇの照明対象であって、Ｇ
光を画像信号に応じて変調する透過型の液晶表示装置である。Ｇ光用空間光変調装置２１
Ｇは、画像信号に応じて第１の振動方向の偏光光であるｐ偏光光を第２の振動方向の偏光
光であるｓ偏光光に変換する。Ｇ光用ＬＥＤ１１Ｇからクロスダイクロイックプリズム２
８までの各部は、Ｒ光用ＬＥＤ１１Ｒからクロスダイクロイックプリズム２８までの各部
と同様に構成されている。
【００３１】
Ｂ光用照明装置１０ＢのＢ光用ＬＥＤ１１Ｂは、Ｂ光を供給する光源部である。Ｂ光用
空間光変調装置２１Ｂは、Ｂ光用照明装置１０Ｂの照明対象であって、Ｂ光を画像信号に
応じて変調する透過型の液晶表示装置である。Ｂ光用空間光変調装置２１Ｂは、画像信号
に応じて第１の振動方向の偏光光であるｐ偏光光を第２の振動方向の偏光光であるｓ偏光
光に変換する。Ｂ光用ＬＥＤ１１Ｂからクロスダイクロイックプリズム２８までの各部は
、Ｂ光用ＬＥＤ１１Ｂからクロスダイクロイックプリズム２８までの各部と同様に構成さ
れている。
【００３２】
クロスダイクロイックプリズム２８は、互いに略直交するように配置された２つのダイ
クロイック膜２８ａ、２８ｂを有する。第１ダイクロイック膜２８ａは、Ｒ光を反射し、
Ｇ光及びＢ光を透過する。第２ダイクロイック膜２８ｂは、Ｂ光を反射し、Ｇ光及びＲ光
を透過する。かかる構成により、クロスダイクロイックプリズム２８は、Ｒ光、Ｇ光及び
Ｂ光を合成する。投写レンズ２９は、クロスダイクロイックプリズム２８で合成された光
をスクリーン３０に投写する。なお、本発明において照明装置とは、図２において破線で
囲んで示すように、空間光変調装置を照明するための構成を指すものとする。
【００３３】
図４〜図７は、Ｒ光用照明装置１０ＲからＲ光用空間光変調装置２１Ｒへ供給される光
と、Ｒ光用空間光変調装置２１Ｒから出射される光の振舞いを説明するものである。ここ
からは、Ｒ光についての構成を代表例として説明を行うものとする。Ｒ光用ＬＥＤ１１Ｒ
（図２参照）は、ｐ偏光光及びｓ偏光光を含む光を供給する。図４に示すように、Ｒ光用
ＬＥＤ１１Ｒから第１反射型偏光板１５へ入射したｓ偏光光は、第１反射型偏光板１５で
反射し、第２反射型偏光板２２の方向へ進行する。第２反射型偏光板２２へ入射したｓ偏
光光は、第２反射型偏光板２２を反射し、Ｒ光用空間光変調装置２１Ｒの第１面Ｓ１へ入
射する。このように、偏光分離部である第１反射型偏光板１５で分離されたｓ偏光光は、
第２反射型偏光板２２を反射することでＲ光用空間光変調装置２１Ｒの第１面Ｓ１へ入射
する。第２反射型偏光板２２は、偏光分離部である第１反射型偏光板１５で分離されたｓ
偏光光をＲ光用空間光変調装置２１Ｒへ導くための反射部として機能する。
【００３４】
Ｒ光用空間光変調装置２１Ｒの第１面Ｓ１へ入射したｓ偏光光のうちｐ偏光光に変換さ
れた成分は、Ｒ光用空間光変調装置２１Ｒの第２面Ｓ２から出射し、第３反射型偏光板１
８へ入射する。第３反射型偏光板１８へ入射したｐ偏光光は、第３反射型偏光板１８を透
過し、λ／４位相板１９へ入射する。λ／４位相板１９へ入射したｐ偏光光は円偏光に変
換された後、反射部２０へ入射する。反射部２０へ入射した円偏光は、反射部２０を反射
した後、λ／４位相板１９でｓ偏光光に変換される。このように、λ／４位相板１９に２
回光を通過させることによって、光の振動方向を９０度回転させることができる。
【００３５】
λ／４位相板１９から第３反射型偏光板１８の方向へ進行したｓ偏光光は、第３反射型
偏光板１８を反射し、λ／２位相板２４の方向へ進行する。λ／２位相板２４は、ｓ偏光
光をｐ偏光光に変換し、第４反射型偏光板２７へ入射させる。第４反射型偏光板２７へ入
射したｐ偏光光は、第４反射型偏光板２７を透過した後、クロスダイクロイックプリズム
２８を経て特定の方向である投写レンズ２９（図１参照）の方向へ進行する。このように
、Ｒ光用空間光変調装置２１Ｒの第２面Ｓ２から出射されるｐ偏光光は、第３反射型偏光
板１８を透過することにより、画像の表示に用いる光として投写レンズ２９の方向へ導か
れる。
【００３６】
図５に示すように、Ｒ光用空間光変調装置２１Ｒの第１面Ｓ１へ入射したｓ偏光光のう
ち、偏光変換されずｓ偏光光のままとされた成分は、Ｒ光用空間光変調装置２１Ｒの第２
面Ｓ２から出射し、第３反射型偏光板１８へ入射する。第３反射型偏光板１８へ入射した
ｓ偏光光は、第３反射型偏光板１８で反射し、λ／２位相板１７の方向へ進行する。λ／
２位相板１７は、ｓ偏光光をｐ偏光光に変換し、反射部１６に入射させる。反射部１６を
反射したｐ偏光光は、第１反射型偏光板１５へ入射する。第１反射型偏光板１５へ入射し
たｐ偏光光は、第１反射型偏光板１５を透過し、Ｒ光用ＬＥＤ１１（図２参照）の方向へ
戻る。このようにして、Ｒ光用空間光変調装置２１Ｒの第２面Ｓ２から出射されるｓ偏光
光は、第３反射型偏光板１８を反射することにより、画像の表示に用いる光以外の光とし
て、投写レンズ２９とは異なる他の方向であるＲ光用ＬＥＤ１１Ｒの方向へ導かれる。
【００３７】
図６に示すように、Ｒ光用ＬＥＤ１１Ｒ（図２参照）から第１反射型偏光板１５へ入射
したｐ偏光光は、第１反射型偏光板１５を透過し、反射部１６の方向へ進行する。反射部
１６へ入射したｐ偏光光は、反射部１６で反射した後、λ／２位相板１７の方向へ進行す
る。λ／２位相板１７は、ｐ偏光光をｓ偏光光に変換し、第３反射型偏光板１８へ入射さ
せる。第３反射型偏光板１８へ入射したｓ偏光光は、第３反射型偏光板１８で反射し、Ｒ
光用空間光変調装置２１Ｒの第２面Ｓ２へ入射する。このように、第１反射型偏光板１５
を透過した光は、反射部１６での反射、λ／２位相板１７での偏光変換、第３反射型偏光
板１８の反射を経て、Ｒ光用空間光変調装置２１Ｒの第２面Ｓ２へ入射する。第３反射型
偏光板１８は、λ／２位相板１７からのｓ偏光光をＲ光用空間光変調装置２１Ｒへ導くた
めの反射部として機能する。
【００３８】
Ｒ光用空間光変調装置２１Ｒの第２面Ｓ２へ入射したｓ偏光光のうちｐ偏光光に変換さ
れた成分は、Ｒ光用空間光変調装置２１Ｒの第１面Ｓ１から出射し、第２反射型偏光板２
２へ入射する。第２反射型偏光板２２へ入射したｐ偏光光は、第２反射型偏光板２２を透
過し、反射部２３へ入射する。反射部２３で反射したｐ偏光光は、λ／２位相板２５へ入
射する。λ／２位相板２５は、ｐ偏光光をｓ偏光光に変換し、反射部２６へ入射させる。
【００３９】
反射部２６で反射したｓ偏光光は、第４反射型偏光板２７へ入射する。第４反射型偏光
板２７へ入射したｓ偏光光は、第４反射型偏光板２７を反射した後、クロスダイクロイッ
クプリズム２８を経て投写レンズ２９（図１参照）の方向へ進行する。このように、Ｒ光
用空間光変調装置２１Ｒの第１面Ｓ１から出射させるｐ偏光光は、第２反射型偏光板２２
を透過することにより、画像の表示に用いる光として投写レンズ２９の方向へ導かれる。
【００４０】
図７に示すように、Ｒ光用空間光変調装置２１Ｒの第２面Ｓ２へ入射したｓ偏光光のう
ち、偏光変換されずｓ偏光光のままとされた成分は、Ｒ光用空間光変調装置２１Ｒの第１
面Ｓ１から出射し、第２反射型偏光板２２へ入射する。第２反射型偏光板２２へ入射した
ｓ偏光光は、第２反射型偏光板２２で反射し、第１反射型偏光板１５の方向へ進行する。
第１反射型偏光板１５へ入射したｓ偏光光は、第１反射型偏光板１５を反射し、Ｒ光用Ｌ
ＥＤ１１Ｒ（図２参照）の方向へ戻る。このようにして、Ｒ光用空間光変調装置２１Ｒの
第１面Ｓ１から出射されるｓ偏光光は、第２反射型偏光板２２を反射することにより、画
像の表示に用いる光以外の光として、投写レンズ２９とは異なる他の方向であるＲ光用Ｌ
ＥＤ１１Ｒの方向へ導かれる。
【００４１】
本発明によると、第１反射型偏光板１５で分離されたｓ偏光光を空間光変調装置２１Ｒ
の第１面Ｓ１に、λ／２位相板１７でｐ偏光光から変換されたｓ偏光光を空間光変調装置
２１Ｒの第２面Ｓ２へ、同時に供給することができる。この場合、光源部からの一の振動
方向の偏光光のみを用いる場合と比較して、照明効率を略２倍とすることができる。また
、第１反射型偏光板１５の入射側にて光を集光させる必要が無いため、大きな発光領域を
備える光源部を用いる場合であっても、照明光の偏光方向を揃えることによる照明効率の
低下を低減することが可能となる。これにより、照明光の偏光方向を揃えることによる照
明効率の低下を低減することができるという効果を奏する。
【００４２】
照明光の偏光方向を揃えることによる照明効率の低下を低減することにより、明るい画
像を表示することが可能となる。これにより、明るい画像を表示することができるという
効果を奏する。なお、プロジェクタ１００は、画像信号に応じてｐ偏光光をｓ偏光光に変
換する空間光変調装置を用いることとしても良い。この場合、照明装置は、空間光変調装
置へｐ偏光光を供給する構成とすることができる。また、プロジェクタ１００は、空間光
変調装置からのｓ偏光光を投写レンズ２９の方向へ導き、ｐ偏光光を光源部の方向の導く
構成とすることができる。
【００４３】
プロジェクタ１００は、光源部の方向へ戻る光を再び空間光変調装置の方向へ進行させ
、利用することとしても良い。光源部の方向へ戻る光を再利用することで、さらに光利用
効率の向上を図れる。光源部の方向へ戻る光を再利用可能な構成とするには、例えば、光
源部の方向へ戻る光を反射する反射部を設けることが考えられる。反射部としては、例え
ば、各色光用ＬＥＤ１１Ｒ、１１Ｇ、１１Ｂの金属電極を用いることができる。
【実施例２】
【００４４】
図８は、本発明の実施例２に係るプロジェクタのうち、Ｒ光用照明装置８０、及びＲ光
について設けられる部分の構成を示す。上記実施例１と同一の部分には同一の符号を付し
、重複する説明は省略する。Ｒ光用空間光変調装置２１Ｒは、第１反射型偏光板１５で反
射した第２の振動方向の偏光光であるｓ偏光光が入射する側に第１面Ｓ１を向けて設けら
れている。第２反射型偏光板８３は、第１反射型偏光板１５を透過した第１の振動方向の
偏光光であるｐ偏光光が入射する位置に設けられている。第２反射型偏光板８３は、第１
の振動方向の偏光光であるｐ偏光光を透過し、第２の振動方向の偏光光であるｓ偏光光を
反射する。第２反射型偏光板８３としては、第１反射型偏光板１５と同様、ワイヤグリッ
ド型偏光板を用いることができる。
【００４５】
反射部８７は、第１反射型偏光板１５及び第２反射型偏光板８３を透過した光を反射し
、第２反射型偏光板８３へ入射させる。λ／４位相板８６は、第２反射型偏光板８３及び
反射部８７の間の光路中に設けられている。λ／４位相板８６は、光を２回通過させるこ
とで、第１の振動方向の偏光光であるｐ偏光光を第２の振動方向の偏光光であるｓ偏光光
に変換する。第３反射型偏光板８８は、第２反射型偏光板８３及びクロスダイクロイック
プリズム２８の間の光路中に設けられている。第３反射型偏光板８８は、第１の振動方向
の偏光光であるｐ偏光光を透過し、第２の振動方向の偏光光であるｓ偏光光を反射する。
第３反射型偏光板８８としては、第１反射型偏光板１５と同様、ワイヤグリッド型偏光板
を用いることができる。
【００４６】
反射部９１は、第２反射型偏光板８３を経て第３反射型偏光板８８を反射したｓ偏光光
が入射する位置に設けられている。反射部９１は、第３反射型偏光板８８からのｓ偏光光
を反射し、Ｒ光用空間光変調装置２１Ｒの第２面Ｓ２へ入射させる。Ｒ光用空間光変調装
置２１Ｒは、第１反射型偏光板１５の側に第１面Ｓ１、反射部９１の側に第２面Ｓ２を向
け、第１反射型偏光板１５及び反射部９１の間の光路中に設けられている。
【００４７】
反射部８２は、Ｒ光用空間光変調装置２１Ｒの第１面Ｓ１から出射し第１反射型偏光板
１５を透過した光を反射し、第１反射型偏光板１５へ入射させる。λ／４位相板８１は、
第１反射型偏光板１５及び反射部８２の間の光路中に設けられている。λ／４位相板８１
は、光を２回通過させることで、第１の振動方向の偏光光であるｐ偏光光を第２の振動方
向の偏光光であるｓ偏光光に変換する。反射部８５は、第１反射型偏光板１５を経て第２
反射型偏光板８３を反射した光を反射し、第２反射型偏光板８３へ入射させる。λ／４位
相板８４は、第２反射型偏光板８３及び反射部８５の間の光路中に設けられている。λ／
４位相板８４は、光を２回通過させることで、第２の振動方向の偏光光であるｓ偏光光を
第１の振動方向の偏光光であるｐ偏光光に変換する。第２反射型偏光板８３は、λ／４位
相板８４からのｐ偏光光を透過する。第３反射型偏光板８８は、第２反射型偏光板８３か
らのｐ偏光光を透過し、クロスダイクロイックプリズム２８の方向へ進行させる。
【００４８】
反射部９０は、Ｒ光用空間光変調装置２１Ｒの第２面Ｓ２から出射し第３反射型偏光板
８８を透過した光を反射し、第３反射型偏光板８８へ入射させる。λ／４位相板８９は、
第３反射型偏光板８８及び反射部９０の間の光路中に設けられている。λ／４位相板８９
は、光を２回通過させることで、第１の振動方向の偏光光であるｐ偏光光を第２の振動方
向の偏光光であるｓ偏光光に変換する。第３反射型偏光板８８は、λ／４位相板８９から
のｓ偏光光を反射し、クロスダイクロイックプリズム２８の方向へ進行させる。このよう
に、第３反射型偏光板８８は、第２反射型偏光板８３から第３反射型偏光板８８の方向へ
進行したｐ偏光光、及びλ／４位相板８９から第３反射型偏光板８８の方向へ進行したｓ
偏光光を合成して、クロスダイクロイックプリズム２８へ入射させる。
【００４９】
図９〜図１２は、Ｒ光用照明装置８０からＲ光用空間光変調装置２１Ｒへ供給される光
と、Ｒ光用空間光変調装置２１Ｒから出射される光の振舞いを説明するものである。図９
に示すように、Ｒ光用ＬＥＤ１１Ｒ（図８参照）から第１反射型偏光板１５へ入射したｓ
偏光光は、第１反射型偏光板１５で反射し、Ｒ光用空間光変調装置２１Ｒの第１面Ｓ１へ
入射する。このように、偏光分離部である第１反射型偏光板１５で分離されたｓ偏光光は
、Ｒ光用空間光変調装置２１Ｒの第１面Ｓ１へ入射する。
【００５０】
Ｒ光用空間光変調装置２１Ｒの第１面Ｓ１へ入射したｓ偏光光のうちｐ偏光光に変換さ
れた成分は、Ｒ光用空間光変調装置２１Ｒの第２面Ｓ２から出射し、反射部９１へ入射す
る。反射部９１で反射したｐ偏光光は、第３反射型偏光板８８へ入射する。第３反射型偏
光板８８へ入射したｐ偏光光は、第３反射型偏光板８８を透過し、λ／４位相板８９へ入
射する。λ／４位相板８９へ入射したｐ偏光光は円偏光に変換された後、反射部９０へ入
射する。
【００５１】
反射部９０へ入射した円偏光は、反射部２０を反射した後、λ／４位相板８９でｓ偏光
光に変換される。このように、λ／４位相板８９に２回光を通過させることによって、光
の振動方向を９０度回転させることができる。λ／４位相板８９から第３反射型偏光板８
８の方向へ進行したｓ偏光光は、第３反射型偏光板８８を反射した後、クロスダイクロイ
ックプリズム２８を経て特定の方向である不図示の投写レンズの方向へ進行する。このよ
うに、Ｒ光用空間光変調装置２１Ｒの第２面Ｓ２から出射されるｐ偏光光は、第３反射型
偏光板８８を透過することにより、画像の表示に用いる光として投写レンズの方向へ導か
れる。
【００５２】
図１０に示すように、Ｒ光用空間光変調装置２１Ｒの第１面Ｓ１へ入射したｓ偏光光の
うち、偏光変換されずｓ偏光光のままとされた成分は、Ｒ光用空間光変調装置２１Ｒの第
２面Ｓ２から出射し、反射部９１へ入射する。反射部９１で反射したｓ偏光光は、第３反
射型偏光板８８で反射し、第２反射型偏光板８３の方向へ進行する。第２反射型偏光板８
３へ入射したｓ偏光光は、第２反射型偏光板８３で反射し、λ／４位相板８６及び反射部
８７へ入射する。第２反射型偏光板８３で反射したｓ偏光光は、反射部８７を経て再び第
２反射型偏光板８３へ入射するまでにλ／４位相板８６を２回通過することにより、ｐ偏
光光に変換される。
【００５３】
λ／４位相板８６から第２反射型偏光板８３へ入射したｐ偏光光は、第２反射型偏光板
８３を透過し、第１反射型偏光板１５の方向へ進行する。第１反射型偏光板１５へ入射し
たｐ偏光光は、第１反射型偏光板１５を透過し、Ｒ光用ＬＥＤ１１Ｒ（図８参照）の方向
へ戻る。このようにして、Ｒ光用空間光変調装置２１Ｒの第２面Ｓ２から出射されるｓ偏
光光は、第３反射型偏光板８８で反射することにより、画像の表示に用いる光以外の光と
して、投写レンズとは異なる他の方向であるＲ光用ＬＥＤ１１Ｒの方向へ導かれる。
【００５４】
図１１に示すように、Ｒ光用ＬＥＤ１１Ｒ（図８参照）から第１反射型偏光板１５へ入
射したｐ偏光光は、第１反射型偏光板１５を透過し、第２反射型偏光板８３の方向へ進行
する。第２反射型偏光板８３へ入射したｐ偏光光は、第２反射型偏光板８３を透過し、λ
／４位相板８６及び反射部８７へ入射する。第２反射型偏光板８３を透過したｐ偏光光は
、反射部８７を経て再び第２反射型偏光板８３へ入射するまでにλ／４位相板８６を２回
通過することにより、ｓ偏光光に変換される。第２反射型偏光板８３及び反射部８７の間
の光路中に設けられたλ／４位相板８６は、第１反射型偏光板１５で分離された第１の振
動方向の偏光光であるｐ偏光光を第２の振動方向の偏光光であるｓ偏光光に変換する偏光
変換部として機能する。
【００５５】
λ／４位相板８６から第２反射型偏光板８３へ入射したｓ偏光光は、第２反射型偏光板
８３で反射し、第３反射型偏光板８８の方向へ進行する。第３反射型偏光板８８へ入射し
たｓ偏光光は、第３反射型偏光板８８及び反射部９１で反射し、Ｒ光用空間光変調装置２
１Ｒの第２面Ｓ２へ入射する。このように、偏光変換部であるλ／４位相板８６からのｓ
偏光光は、第２反射型偏光板８３、第３反射型偏光板８８、反射部９１を順次反射するこ
とにより、Ｒ光用空間光変調装置２１Ｒへ導かれる。第３反射型偏光板８８は、偏光変換
部であるλ／４位相板８６からのｓ偏光光をＲ光用空間光変調装置２１Ｒへ導くための反
射部として機能する。
【００５６】
Ｒ光用空間光変調装置２１Ｒの第２面Ｓ２へ入射したｓ偏光光のうちｐ偏光光に変換さ
れた成分は、Ｒ光用空間光変調装置２１Ｒの第１面Ｓ１から出射し、第１反射型偏光板１
５へ入射する。第１反射型偏光板１５へ入射したｐ偏光光は、第１反射型偏光板１５を透
過し、λ／４位相板８１及び反射部８２へ入射する。第１反射型偏光板１５を透過したｐ
偏光光は、反射部８２を経て再び第１反射型偏光板１５へ入射するまでにλ／４位相板８
１を２回通過することにより、ｓ偏光光に変換される。
【００５７】
λ／４位相板８１から第１反射型偏光板１５へ入射したｓ偏光光は、第１反射型偏光板
１５で反射し、第２反射型偏光板８３の方向へ進行する。第２反射型偏光板８３へ入射し
たｓ偏光光は、第２反射型偏光板８３で反射し、λ／４位相板８４及び反射部８５へ入射
する。第２反射型偏光板８３を反射したｓ偏光光は、反射部８５を経て再び第２反射型偏
光板８３へ入射するまでにλ／４位相板８４を２回通過することにより、ｐ偏光光に変換
される。
【００５８】
λ／４位相板８４から第２反射型偏光板８３へ入射したｐ偏光光は、第２反射型偏光板
８３を透過し、第３反射型偏光板８８の方向へ進行する。第３反射型偏光板８８へ入射し
たｐ偏光光は、第３反射型偏光板８８を透過した後、クロスダイクロイックプリズム２８
を経て不図示の投写レンズの方向へ進行する。このように、Ｒ光用空間光変調装置２１Ｒ
の第１面Ｓ１から出射されるｐ偏光光は、第１反射型偏光板１５を透過することにより、
画像の表示に用いる光として投写レンズの方向へ導かれる。
【００５９】
図１２に示すように、第２面Ｓ２からＲ光用空間光変調装置２１Ｒへ入射したｓ偏光光
のうち、偏光変換されずｓ偏光光のままとされた成分は、Ｒ光用空間光変調装置２１Ｒの
第１面Ｓ１から出射し、第１反射型偏光板１５へ入射する。第１反射型偏光板１５へ入射
したｓ偏光光は、第１反射型偏光板１５を反射し、Ｒ光用ＬＥＤ１１Ｒ（図８参照）の方
向へ戻る。このようにして、Ｒ光用空間光変調装置２１Ｒの第１面Ｓ１から出射されるｓ
偏光光は、第１反射型偏光板１５を反射することにより、画像の表示に用いる光以外の光
として、投写レンズとは異なる他の方向であるＲ光用ＬＥＤ１１Ｒの方向へ導かれる。
【００６０】
本実施例のプロジェクタも、上記実施例１のプロジェクタ１００と同様に、照明光の偏
光方向を揃えることによる照明効率の低下を低減し、明るい画像を表示することができる
。また、本実施例のプロジェクタは、空間光変調装置２１Ｒの第１面Ｓ１からの光を偏光
変換部である第１反射型偏光板１５へ戻すことで、照明装置８０の光路を有効に利用しな
がら、空間光変調装置２１Ｒからの光をクロスダイクロイックプリズム２８へ導く構成と
することができる。このため、本実施例のプロジェクタは、空間光変調装置２１Ｒからの
光をクロスダイクロイックプリズム２８へ導くための新たな光路を不要とする分、光源部
からクロスダイクロイックプリズム２８までの構成をコンパクトにできるという利点を有
する。
【００６１】
上記実施例１のプロジェクタ１００は、空間光変調装置２１Ｒからの光を第２反射型偏
光板２２及び第３反射型偏光板１８（図２参照）から特定の方向へ導く構成とする。上記
実施例１のプロジェクタ１００は、空間光変調装置２１Ｒからの光を照明装置の光路へ戻
す場合の構成と比較して、画像の表示に用いる光の反射回数を少なくすることが可能とな
る。よって、上記実施例１のプロジェクタ１００は、空間光変調装置からの光を第２反射
型偏光板２２及び第３反射型偏光板１８により特定の方向へ導くことで光の反射回数を少
なくできる分、高い効率で明るい画像を表示できるという利点を有する。
【００６２】
なお、上記実施例では光源部としてＬＥＤを用いることとしているが、これに限られな
い。光源部としては、ＬＥＤに代えて、例えばＥＬ素子や半導体レーザ等の他の固体発光
素子を用いても良い。また、光源部は固体発光素子に限らず、固体発光素子以外の発光体
、例えば、超高圧水銀ランプ等のランプを用いても良い。プロジェクタは、フロント投写
型のプロジェクタに限られず、スクリーンの一方の面にレーザ光を供給し、スクリーンの
他方の面から出射される光を観察することで画像を鑑賞する、いわゆるリアプロジェクタ
であっても良い。
【産業上の利用可能性】
【００６３】
以上のように、本発明に係る照明装置は、プロジェクタの照明装置として用いる場合に
有用であり、特に、特定の振動方向の偏光光を変調するプロジェクタに適している。
【図面の簡単な説明】
【００６４】
【図１】本発明の実施例１に係るプロジェクタの概略構成を示す図。
【図２】光源部からクロスダイクロイックプリズムまでの構成について説明する図。
【図３】空間光変調装置の要部斜視構成を示す図。
【図４】光源部からのｓ偏光光等の振舞いについて説明する図。
【図５】空間光変調装置の第２面からのｓ偏光光の振舞いについて説明する図。
【図６】光源部からのｐ偏光光等の振舞いについて説明する図。
【図７】空間光変調装置の第１面からのｓ偏光光の振舞いについて説明する図。
【図８】本発明の実施例２に係るプロジェクタについて説明する図。
【図９】光源部からのｓ偏光光等の振舞いについて説明する図。
【図１０】空間光変調装置の第２面からのｓ偏光光の振舞いについて説明する図。
【図１１】光源部からのｐ偏光光等の振舞いについて説明する図。
【図１２】空間光変調装置の第１面からのｓ偏光光の振舞いについて説明する図。
【符号の説明】
【００６５】
１００  プロジェクタ、１０Ｒ  Ｒ光用照明装置、１０Ｇ  Ｇ光用照明装置、１０Ｂ  
Ｂ光用照明装置、１１Ｒ  Ｒ光用ＬＥＤ、１１Ｇ  Ｇ光用ＬＥＤ、１１Ｂ  Ｂ光用ＬＥＤ
、１２  集光レンズ、１３  ロッドインテグレータ、１４  コリメータレンズ、１５  第
１反射型偏光板、１６  反射部、１７  λ／２位相板、１８  第３反射型偏光板、１９  
λ／４位相板、２０  反射部、２１Ｒ  Ｒ光用空間光変調装置、２１Ｇ  Ｇ光用空間光変
調装置、２１Ｂ  Ｂ光用空間光変調装置、２２  第２反射型偏光板、２３  反射部、２４
λ／２位相板、２５  λ／２位相板、２６  反射部、２７  第４反射型偏光板、２８  
クロスダイクロイックプリズム、２８ａ  第１ダイクロイック膜、２８ｂ  第２ダイクロ
イック膜、２９  投写レンズ、３０  スクリーン、Ｓ１  第１面、Ｓ２  第２面、３１  
第１基板、３２  第２基板、３３  液晶部、３４  信号線、３５  薄膜トランジスタ、３
６  透明電極、３７  走査線、８０  Ｒ光用照明装置、８１  λ／４位相板、８２  反射
部、８３  第２反射型偏光板、８４  λ／４位相板、８５  反射部、８６  λ／４位相板
、８７  反射部、８８  第３反射型偏光板、８９  λ／４位相板、９０  反射部、９１  
反射部
【図１】
2007183457.tif 000003
【図２】
2007183457.tif 000004
【図３】
2007183457.tif 000005
【図４】
2007183457.tif 000006
【図５】
2007183457.tif 000007
【図６】
2007183457.tif 000008
【図７】
2007183457.tif 000009
【図８】
2007183457.tif 000010
【図９】
2007183457.tif 000011
【図１０】
2007183457.tif 000012
【図１１】
2007183457.tif 000013
【図１２】
2007183457.tif 000014